(57)【要約】  金融商品の注文を表示及び発注する方法。金融市場情報が、プロセッサによって制御されるスクリーンに表示される。この表示は、複数のビッド欄と、複数のアスク欄と、ビッド欄及びアスク欄の軸として機能する価格欄とを含む。これらの欄の値は、金融市場の状態が変化した場合に更新される。最高ビッド価格又は最低アスク価格のうちのいずれか一方がスクロールしてスクリーンに表示されなくなる場合、欄の値は自動的に再センタリングされる。注文を発注することは、注文パラメータを事前に設定することと、注文を発注する価格を選択することと、コンピュータ入力デバイスを用いることによってコンピュータディスプレイの欄において価格に関連付けられたセルを指示することにより注文を発注する価格を指示することとを含む。【選択図】図２
2013532861.tif 000002
【特許請求の範囲】
【請求項１】
プロセッサによって制御されるスクリーン上に金融市場情報を表示する方法であって、
複数のビッド欄を表示することと、
複数のアスク欄を表示することと、
価格欄を表示することと、
前記金融市場が変化した場合に、前記欄内の値を更新することと、
最高ビッド価格又は最低アスク価格のうちのいずれか一方がスクロールして前記スクリーンに表示されなくなる場合、前記複数のビッド欄、前記複数のアスク欄、及び前記価格欄を自動的に再センタリングすることと、
を含み、
前記価格欄が前記複数のビッド欄及び前記複数のアスク欄の双方の価格軸として機能するように、前記複数のビッド欄、前記複数のアスク欄、及び前記価格欄は配置され、
前記複数のビッド欄は、前記市場における出来高、前記市場における前記ユーザの注文数、及び前記市場における前記ユーザの出来高のうちの少なくとも１つを表示する、  ことを特徴とする方法。
【請求項２】
前記最高ビッド価格を表す前記複数のビッド欄における行は、他の価格に対応する行よりも大きく、
前記最低アスク価格を表す前記複数のアスク欄における行は、他のアスク価格に対応する行よりも大きく、
前記最高ビッド価格が変化する場合、前記更新することは、変化前の最高ビッド価格の前記行のサイズを前記他の価格に対応する前記行と同じサイズにすることと、新たな最高ビッド価格に対応する前記行を前記他の価格に対応する前記行よりも大きくすることとを更に含み、
前記最低アスク価格が変化する場合、前記更新することは、変化前の最低アスク価格の前記行のサイズを前記他の価格に対応する前記行と同じサイズにすることと、新たな最低アスク価格に対応する前記行を前記他の価格に対応する前記行よりも大きくすることとを更に含む、
ことを特徴とする請求項１に記載の方法。
【請求項３】
前記最高ビッド価格及び前記最低アスク価格は、前記他の価格を表示するために用いられる色とは異なる色で表示されることを特徴とする請求項２に記載の方法。
【請求項４】
前記最高ビッド価格よりも高い価格と、前記最低アスク価格よりも低い価格とは、前記他の価格を表示するために用いられる色とは異なる色で表示されることを特徴とする請求項２に記載の方法。
【請求項５】
前記ユーザが現在注文を行う価格に対応する行は、前記ユーザが注文を行わない価格に対応する行とは異なる色で表示されることを特徴とする請求項２に記載の方法。
【請求項６】
前記ユーザの出来高を表す欄が、他の欄における値を表示するために用いられる色とは異なる色で表示されることを特徴とする請求項２に記載の方法。
【請求項７】
前記ユーザの注文数を表す欄が、他の欄における値を表示するために用いられる色とは異なる色で表示されることを特徴とする請求項２に記載の方法。
【請求項８】
市場出来高を表す欄が、他の欄における値を表示するために用いられる色とは異なる色で表示されることを特徴とする請求項２に記載の方法。
【請求項９】
前記価格欄に前記価格を表示するために用いられる色は、その価格における市場の出来高とともに変化することを特徴とする請求項２に記載の方法。
【請求項１０】
前記複数のビッド欄及び前記複数のアスク欄は、前記ユーザの様々な顧客用の様々な欄における注文数及び注文の出来高のうちの少なくとも一方を表示する欄を含むことを特徴とする請求項２に記載の方法。
【請求項１１】
前記欄は縦方向に表示されることを特徴とする請求項２に記載の方法。
【請求項１２】
前記欄は横方向に表示されることを特徴とする請求項２に記載の方法。
【請求項１３】
前記ユーザによって入力された注文のデフォルト値を表示する注文パラメータウィンドウを表示することを更に含むことを特徴とする請求項２に記載の方法。
【請求項１４】
前記ユーザが注文パラメータを入力又は視認する必要がない場合、前記注文パラメータウィンドウを非表示にすることを更に含むことを特徴とする請求項１３に記載の方法。
【請求項１５】
前記行の前記背景色は、当該行に関連付けられた前記価格の差が前記最低アスク価格よりも高い場合、又は当該行に関連付けられた前記価格の差が前記最高ビッド価格よりも低い場合に変化することを特徴とする請求項２に記載の方法。
【請求項１６】
コンピュータを通じて有価証券の注文を発注する方法であって、
コンピュータ入力デバイスを用いることによって価格欄内の値を選択することと、
注文ウィンドウ内の注文パラメータを選択することと、
前記コンピュータ入力デバイスを用いることによって前記注文パラメータを確認することと、
を含むことを特徴とする方法。
【請求項１７】
コンピュータを通じて有価証券の注文を発注する方法であって、
注文パラメータを事前に設定することと、
前記事前に設定された注文パラメータをスクリーンに表示されるボタンに関連付けることと、
コンピュータ入力デバイスを用いることによって前記スクリーンの前記ボタンを選択することと、
コンピュータ入力デバイスを用いることによって前記注文を確認することと、
を含むことを特徴とする方法。
【請求項１８】
前記ボタンが選択された後に、前記注文を発注する価格を選択することを更に含むことを特徴とする請求項１７に記載の方法。
【請求項１９】
ユーザがコンピュータを通じて有価証券の注文を発注する方法であって、
注文パラメータを事前に設定することと、
前記注文を発注する価格を選択することと、
コンピュータ入力デバイスを用いることによってコンピュータディスプレイの欄において価格に関連付けられたセルを指示することによって、前記注文を発注する前記価格を指示することと、
を含むことを特徴とする方法。
【請求項２０】
前記ユーザが前記注文パラメータの変更を希望するまで、前記選択するステップ及び前記指示するステップを繰り返すことを特徴とする請求項１９に記載の方法。
【請求項２１】
前記指示するステップは、前記ユーザがビッド注文を指示したい場合に、ビッド欄において価格に関連付けられたセルを指示することを含むことを特徴とする請求項２０に記載の方法。
【請求項２２】
前記指示するステップは、前記ユーザがアスク注文を指示したい場合に、アスク欄において価格に関連付けられたセルを指示することを含むことを特徴とする請求項２１に記載の方法。
【請求項２３】
前記注文パラメータを事前に設定するステップは、アスク注文パラメータ及びビッド注文パラメータを設定することを含むことを特徴とする請求項２２に記載の方法。
【請求項２４】
前記注文パラメータを事前に設定するステップは、互いに異なるアスク注文パラメータ及びビッド注文パラメータを設定することを含むことを特徴とする請求項２３に記載の方法。
【請求項２５】
前記指示するステップは、顧客に関連付けられた欄における価格を指示することによって当該顧客を指示することを更に含むことを特徴とする請求項２４に記載の方法。
【請求項２６】
前記事前に設定するステップは、注文パラメータウィンドウにおいて注文パラメータを入力することを更に含むことを特徴とする請求項２５に記載の方法。
【請求項２７】
前記事前に設定するステップは、前記注文パラメータウィンドウを隠すことを更に含むことを特徴とする請求項２６に記載の方法。
【請求項２８】
コンピュータを通じて有価証券の注文を発注する方法であって、
注文パラメータを受け取ることと、
コンピュータでディスプレイの欄において価格に関連付けられたセルを指示するユーザ入力から注文を受け取ることと、
前記指示を受け取った後に、前記受け取ったパラメータとともに前記受け取った価格で注文を金融市場に送信することと、
を含むことを特徴とする方法。
【請求項２９】
新たな注文パラメータを受け取るまで、前記注文を受け取るステップ及び前記注文を送信するステップを繰り返すことを特徴とする請求項２８に記載の方法。
【請求項３０】
前記注文を受け取るステップは、コンピュータディスプレイのビッド欄において価格に関連付けられたセルを指示することによって、ある価格でのビッド注文を受け取ることを含むことを特徴とする請求項２９に記載の方法。
【請求項３１】
前記注文を受け取るステップは、コンピュータディスプレイのアスク欄における価格に関連付けられたセルを指示することによって、ある価格でのアスク注文を受け取ることを含むことを特徴とする請求項３０に記載の方法。
【請求項３２】
前記注文パラメータを受け取るステップは、アスク注文パラメータ及びビッド注文パラメータを受け取ることを更に含むことを特徴とする請求項３１に記載の方法。
【請求項３３】
前記注文パラメータを受け取るステップは、互いに異なるアスク注文パラメータ及びビッド注文パラメータを受け取ることを更に含むことを特徴とする請求項３２に記載の方法。
【請求項３４】
前記注文を受け取るステップは、顧客に関連付けられた欄における価格に関連付けられたセルの指示を受け取ることによって、当該顧客の注文を受け取ることを更に含むことを特徴とする請求項３３に記載の方法。
【請求項３５】
前記注文パラメータを受け取るステップは、注文パラメータウィンドウ内のフィールドのエントリから注文パラメータを受け取ることを更に含むことを特徴とする請求項３４に記載の方法。
【請求項３６】
前記注文パラメータを受け取るステップは、前記パラメータを前記フィールドから受け付けた後に前記注文パラメータウィンドウを隠すことを更に含むことを特徴とする請求項３５に記載の方法。
【請求項３７】
前記注文を送信するステップは、ユーザのマウスのアップクリックの指示を受け取った後に、前記注文を送信することを特徴とする請求項３６に記載の方法。
【発明の詳細な説明】
【技術分野】
【０００１】
本発明は、包括的には、様々な数量及び様々な価格で買い注文及び売り注文（ビッド（bid）及びオファー（offer））を発注する買い手及び売り手を結び付ける市場を通じて取引することができる金融商品又は他の任意の形態の証券の電子商取引に関する。本発明は、特に、普通株、デリバティブ、スワップ、債券、ワラント、及び通貨の電子商取引に関する。本発明は、電子トレーダーが金融商品の注文を迅速かつ直観的に視認及び発注するためのツールを提供する。
【０００２】
［関連出願の相互参照］本願は、２０１０年７月１６日に出願された米国仮出願第６１／３６４，９５５号の優先権を主張するものであり、この米国仮出願の開示内容は、その全体を引用することにより本願明細書の一部をなすものとする。
【背景技術】
【０００３】
過去１０年程に、財貨（commodities）、有価証券、デリバティブ、普通株、及び一般金融商品の電子商取引は共通の標準として広く受け入れられてきた。インターネットの出現により、トレーダーは、世界中の様々な取引市場（market  exchanges）において品目を売買する好ましい手段として電子商取引を受け入れてきた。パーソナルコンピュータを備えている世界のあらゆる場所にいるトレーダーが、ホスト取引市場のコンピュータと通信して、品目の有用性（availability）を判断したり、注文の発注や確認を行ったりすることができる。
【発明の概要】
【発明が解決しようとする課題】
【０００４】
電子商取引に携わるトレーダーは、通常、様々な特化されたグラフィカルユーザインターフェースをトレーダーに提供するソフトウェア製品を利用して、市場価格データを取得したり、注文を実行したり、様々な市況の情勢を監視したりする。トレーダーに利用可能な機能の全体的な使いやすさ及び品質は、トレーダーが動作させている個々のタイプの電子商取引アプリケーションに大きく左右される。
【０００５】
金融商品の電子商取引では、トレーダーが注文を競争的に発注することができる速度は最重要事項である。電子商取引に携わる各トレーダーが、電子商取引アプリケーションを通じて利用可能になる情報に基づいて、注文を待つのか又は注文に応じるのかを即座に決定することができるようになっていることが極めて重要である。
【０００６】
そのようなプロセス中の速度の僅かな改善であっても、電子商取引に携わるトレーダーに大きな収益をもたらす可能性がある。他方、時機を逃さず競争的に注文に応じることに失敗すると、その結果、時間とともに大きな損失額が累積される可能性がある。したがって、速度に関する競争上の優位性は、トレーダーが電子商取引に携わることを可能にする電子商取引アプリケーションを開発する場合の最優先事項である。
【０００７】
さらに、電子商取引に携わるトレーダーは、取引中に利用可能となる非常に多くの市場情報基準（market  information  criteria）を処理及び理解することができなければならない。取引市場は、ペースの速い流動的な環境であり、価格、数量、及び他の市場基準（market  criteria）は、非常に短い期間内に絶えず変動する。電子商取引アプリケーションにおける情報の編成及び表現が良好であるほど、電子トレーダーによる取引がより直観的かつ容易になる。したがって、効率的で正確な発注を電子商取引環境において提供するために、電子商取引アプリケーションは、電子商取引アプリケーションを利用するトレーダーにとって直観的でユーザフレンドリーであることも必須である。
【課題を解決するための手段】
【０００８】
本発明の例示的な実施の形態は、プロセッサによって制御されるスクリーン上に金融市場情報を表示する方法であって、複数のビッド欄（column）を表示することと、複数のアスク欄を表示することと、価格欄を表示することと、金融市場の状態が変化した場合に、これらの欄内の値を更新することとを含む方法を提供する。複数のビッド欄、複数のアスク欄、及び価格欄は、複数のビッド欄及び複数のアスク欄の双方の価格軸として価格欄が機能するように配置される。上記欄内の値を更新することは、最高ビッド価格又は最低アスク価格のうちのいずれか一方がスクロールしてスクリーンに表示されなくなる場合に、複数のビッド欄、複数のアスク欄、及び価格欄を自動的に再センタリングすることを含む。複数のアスク欄及びビッド欄に表示される値は、市場における出来高（volume  of  lots）、市場におけるユーザの注文数、及び市場におけるユーザの出来高のうちの少なくとも１つを含む。
【０００９】
また、例示的な実施の形態では、ユーザがコンピュータを通じて証券の注文を発注する方法も提供される。この注文を発注する方法は、注文パラメータを事前に設定するステップと、前記注文を発注する価格を選択するステップと、コンピュータ入力デバイスを用いることによってコンピュータディスプレイの欄において価格に関連付けられたセルを指示することによって、前記注文を発注する前記価格を指示するステップと、を含む。
【００１０】
本発明は、コンピュータを通じて証券の注文を発注する方法であって、注文パラメータを受け付けることと、コンピュータディスプレイの欄において価格に関連付けられたセルを指示する入力をユーザから受け取ることと、前記指示を受け取った後に、前記受け取ったパラメータとともに前記受け取った価格で注文を金融市場に送信することと、を含む方法を更に提供する。
【００１１】
上記態様及び／又は他の態様は、添付図面に関して行う、例示的な実施形態の以下の説明から明らかになり、より容易に理解することができる。
【図面の簡単な説明】
【００１２】
【図１】金融市場情報の表示のための関連技術の表示を示す図である。
【図２】本発明の例示的な実施形態にかかる表示を示す図である。
【図３】ベストアスク価格とベストビッド価格との間の差が価格軸上の単一のティック（tick）よりも大きい、図２に示す表示の一部を示す図である。
【図４】事前に設定された機能のボタンが表示される例示的な実施形態にかかる表示を示す図である。
【図５】ボタン値を事前に設定する表示を示す図である。
【図６】「成行（instant）」注文を事前に設定する表示を示す図である。
【図７】本発明の例示的な実施形態において成行注文を入力する場合にユーザによって実行されるステップの機能ブロック図である。
【図８】本発明の例示的な実施形態において成行注文を入力する場合にコンピュータによって実行されるステップの機能ブロック図である。
【図９】本発明の例示的な実施形態において注文を即座に変更する場合にユーザによって実行されるステップの機能ブロック図である。
【図１０】本発明の例示的な実施形態において注文を即座に変更する場合にコンピュータによって実行されるステップの機能図である。
【発明を実施するための形態】
【００１３】
以下では、例示的な実施形態を、当業者が容易に理解できるように添付図面を参照して詳細に説明する。本発明の概念は、本明細書に記載する例示的な実施形態に限定されることなく様々な形態で実施することができる。よく知られた部分の説明は明瞭化のために省略し、同様の参照符号は図面全体を通して同様の要素を指している。
【００１４】
図２には、本発明の表示２１の例示的な実施形態が示されている。この表示は、金融市場情報を含む複数の異なる領域からなる。表示２１の最上部には、市場概況セクション２２がある。市場概況セクション２２は、全般的な市場情報を含み、ユーザの好みに特有の情報を含むようにカスタマイズすることができる。例えば、市場概況セクション２２は、市場名、現在表示されている証券、その日の最高取引値及び最低取引値、取引されている全出来高、及び当業者に既知である他の値等の情報を含むことができる。市場概況セクション２２は、市場及び証券に関連する情報に加えて、表示の設定（セットアップ）に関連する情報も表示することができる。例えば、市場概況セクション２２は、価格欄２６及び２７における値のティックサイズ（tick  size）を表示することができる。
【００１５】
表示２１は注文控元帳（order  book）セクション２３も含む。注文控元帳セクション２３は、複数のビッド欄２６，２８，３０，及び３２を有するビッドセクション２４と、複数のアスク欄２７，２９，３１，及び３３を有するアスクセクション２５とを含む。図２の例示的な実施形態では、ビッドセクション２４及びアスクセクション２５のそれぞれは、それ自体の価格欄２６，２７を含む。他の例示的な実施形態では単一の価格欄が存在するようにしてもよい。いずれの場合も、ビッドセクション２４及びアスクセクション２５の行は、双方のセクションにわたる単一の行が単一の価格に対応するように整列される。図２では、最高ビッド価格及び最低アスク価格は、価格スケールにおける単一のティックだけ分離されているが、例示的な実施形態では、図３に示すように、これらの価格の間の差が単一のティックよりも大きい場合に、間にある価格値を更に表示することができる。これによって、現在の最高ビッド価格と現在の最低アスク価格との間で注文を容易に発注する機能を含むことができる利点が可能になるとともに、ユーザは、最高ビッド価格と最低アスク価格との間のスプレッドを見ることが可能になる。例示的な実施形態では、最高ビッド価格と最低アスク価格との間のこれらの価格は、他の価格を表示するために用いられる色とは異なる色で表示することができる。同様に、これらの価格を表示するために用いられるセルの背景色も、他の価格を表示するために用いられるセルの背景色と異なることができる。
【００１６】
例示的な実施形態では、最高ビッド価格及び最低アスク価格を表す行を強調することができる。例えば、図２において、最高ビッド価格及び最低アスク価格に対応する行３４及び３５の高さは、他の価格に対応する行よりも高い。例示的な実施形態の他の態様では、最高ビッド価格及び最低アスク価格を表示するために用いられる色は、他の価格を表示するために用いられる色とは異ならせることができる。同様に、最高ビッド価格と最低アスク価格との間の価格は、他の価格を表示するために用いられる色とは異なる色で表示することができる。これらの欄を強調することによって、ユーザは、どの価格がベストビッド価格及びベストアスク価格を含むのかを非常に迅速に判断できるようになる。
【００１７】
複数のアスク欄及びビッド欄は、特定の行に対応する価格について金融市場の状態を全体としてユーザに知らせる情報と、その表示のユーザに特有の情報とを含むことができる。例えば、例示的な実施形態は、特定の価格についての市場出来高（market  volume）の欄を含むことができる一方、別の欄は、ユーザの注文に対応する市場出来高を表示することができる。別の欄は、特定の行に関連付けられた価格における市場の出来高に、ビッド欄の場合にはそれよりも高い全てのビッドの出来高を加えたもの、又はアスク欄の場合にはそれよりも低い全てのアスクの出来高を加えたものを含むことができる。当業者に既知である他の値を含む欄を表示に含めることもできる。欄に含めることができる値の非限定的な例は、最終取引価格、その日の高値（high  of  the  day）、その日の安値（low  of  the  day）、インサイドビッド（inside  bid）、インサイドアスク（inside  ask）、或る価格で取引された全出来高、及び出来高加重加算価格（volume  weighted  added  price）を含む。欄に表示された値は、ユーザが自らの好みに基づいて選ぶことができる。
【００１８】
例示的な実施形態では、アスク部及びビッド部の欄は、特定の情報がユーザのために強調されるように表示することができる。例えば、ユーザが注文を発注した行は、他の行を表示する場合に用いられる色とは異なる色を用いることによって強調することができる。この強調は、欄内の値の色、又は行の背景の色を変更することによって行うことができる。同様に、色の変更は、情報が表示される個々のセルに適用することもできるし、その情報を含む行全体に適用することもできる。強調可能な情報は、ユーザが注文を発注した価格、選択された基準価格（ベストアスク及びベストビッド価格等）から価格がどの程度離れているのか、ユーザが自動注文のトリガを設定した価格、及び当業者に既知である他の種類の情報を含むことができる。選択された基準価格から価格がどの程度離されているのか等の情報について、情報を強調するために用いられる色は、値が基準価格に近づくにつれて又は基準価格から遠ざかるにつれて徐々に変化することができる。
【００１９】
本発明の例示的な実施形態は、成行注文設定セクション３６も含むことができる。このセクションによって、ユーザは、後述する成行注文機能のパラメータを選択することが可能になる。成行注文タイプセレクタ３７Ａ及び３７Ｂは、ユーザが注文のタイプを選択することを可能にする。注文のタイプが選択されると、成行注文選択部３７Ｃ〜３７Ｈは、ユーザが成行注文のパラメータを選択することを可能にする。成行注文選択部３７Ｃ〜３７Ｇは、ユーザが、数量（the  number  of  lots）、注文を発注する際のサービス、用いられる口座、及びポジション等の注文のパラメータを選択することを可能にする。当業者に既知である他のパラメータも、成行注文選択セクション３６において設定することができる。成行注文選択セクション３６は、ユーザが注文パラメータを入力するのを補助する他の要素も含むことができる。例えば、現在入力されている注文パラメータの全てをユーザが迅速かつ効率的に削除することを可能にする削除キー３８が含まれている。
【００２０】
図２は、表示２１の左側に固定された成行注文選択セクションを示しているが、他の例示的な実施形態は、表示２１の他の部分に固定された成行注文選択セクションを有する。例えば、成行注文選択セクションは、表示２１の上部、下部、又は右側に固定することができる。例示的な実施形態は、成行注文選択セクション３６を非表示にすることも可能にする。成行注文選択セクション３６を非表示にすることによって、ユーザは、注文を発注する場合にスクリーンスペースを節約することができ、ユーザが成行注文パラメータを変更したい場合には成行注文選択セクションの非表示を迅速に解除することができる。他の例示的な実施形態には、図６に関して後述する自由に動く成行注文表示が含まれる。
【００２１】
本発明の例示的な実施形態は表示の他の部分も含むことができる。図４は、事前に設定されたボタン４０Ａ〜４０Ｅ及び４１Ａ〜４１Ｅが表示の端部付近に配置されている表示の例示的な実施形態を示している。ボタン４０Ａ〜４０Ｅ及び４１Ａ〜４１Ｅは、ユーザによって事前に設定された機能を実行することができる。例えば、ボタンを選択する（アクティブにする）ことによって、特定の出来高の証券の注文を作成することができ、単に注文の価格を入力することがユーザに促される。他のボタンは、価格を含む注文のパラメータの全てを用いてプログラムすることができる。ビッド注文に関連付けられたボタンを表示のビッド部の近くに配置し、アスク注文に関連付けられたボタンを表示のアスク部の近くに配置することはユーザにとって直観的にわかりやすくなり得るが、例示的な実施形態はこのタイプの編成に限定されるものではない。
【００２２】
図５は、図４とともに説明したボタンを事前に設定するためのボタンエディタ表示４２を示している。ボタンエディタ表示４２は、説明セクション４３及び動作セクション４４の２つのセクションを含むことができる。説明セクション４３は、ユーザがボタンの表示態様や、ユーザがボタンによって実行される動作をどのようにして完了させるかを制御することを可能にするプロパティ選択部４５Ａ〜４５Ｇを含む。例えば、プロパティ選択部４５Ａは、ユーザがボタンに見出しを与えることを可能にする。一方、プロパティ選択部４５Ｆは、ユーザがボタンの色を選択することを可能にする。プロパティ選択部４５Ｂは、ユーザがボタンの見出しに追加する値を選択することを可能にする。一方、プロパティ選択部４５Ｃは、ボタンが押された場合にダイアログボックスを開くか否かをユーザが設定することを可能にする。プロパティ選択部４５Ｄは、例えば、ユーザがマウスをボタンの上にホバーした場合に現れる有用な説明をユーザがボタンに追加することを可能にする。
【００２３】
動作セクション４４は注文タイプセレクタ４６を含み、注文タイプセレクタ４６は、ボタンによって実行される注文又は動作のタイプをユーザが選択することを可能にする。図５では、注文タイプ「ＳＷＥＥＰ」が選択されているが、当業者に既知である他の注文タイプを選択することができる。注文タイプが、注文タイプセレクタ４６によって選択されると、動作選択部４７Ａ〜４７Ｌを表示することができる。動作選択部４７Ａ〜４７Ｌの中には、注文タイプセレクタ４６によって選択された注文のタイプに特有のものがある一方、どのタイプの注文が選択されていようとも用いることができるものもある。動作選択部４７Ａ〜４７Ｌは、注文がビッドであるべきか又はアスクであるべきか、注文を行うべき価格、市場にアクセスするのに用いられるベンダ、注文が有効であり続けるべき期間、及び当業者に既知の他のパラメータをユーザが選択することを可能にする。
【００２４】
図６に示されるような成行注文設定表示５０は、提示の点でボタンエディタ表示４２と類似している。この表示は、機能の点が成行注文設定セクション３６と類似しており、ユーザが後述の成行注文機能のパラメータを選択することを可能にする。成行注文タイプセレクタ５１は、ユーザが注文のタイプを選択することを可能にする。注文のタイプが選択されると、成行注文選択部５２Ａ〜５２Ｋが表示される。これらの部分は、ユーザが成行注文のパラメータを選択することを可能にする。成行注文設定表示は、ユーザが成行注文選択部５２Ａ〜５２Ｋによって成行注文のパラメータを選択することを可能にする。成行注文選択部５２Ａ〜５２Ｋは、動作選択部４７Ａ〜４７Ｌに関して上述したものと類似しているが、動作選択部４７Ａ〜４７Ｌには含まれていない幾つかのパラメータを成行注文選択部５２Ａ〜５２Ｋに含めることもできるし、その逆も同様である。例えば、後述するように、成行注文価格が選択される方法に起因して、多くの場合、注文の価格に関連する成行注文選択部が存在する必要がない。
【００２５】
図７は、例示的な実施形態においてユーザが成行注文を行うために行うステップの機能ブロック図を示している。機能ブロック６０において、ユーザは、このプロセスの後の部分において即座に入力される注文のパラメータを決定する。このブロックは、図２及び図６に示すような表示において値を設定することを含むこともできるし、成行注文の事前に設定されたデフォルト値に依拠するのと同程度の単純なものとすることもできる。当業者に既知である、注文値を設定する他の方法を用いることもできる。例示的な実施形態では、２つ以上のタイプの注文のパラメータを設定することができ、送信される注文のタイプは、この方法の後の部分においてユーザが価格を選択する欄によって判断することができる。例えば、ユーザがビッド欄における価格を選択した場合には、ビッド注文に特有のパラメータを送信することができる。一方、ユーザがアスク欄における価格を選択した場合には、アスク注文に特有のパラメータを送信することができる。
【００２６】
機能ブロック６１において、ユーザは注文がアスクであるか又はビッドであるかを決定する。他の例示的な実施形態では、この決定は、機能ブロック６０において行われる注文パラメータの選択中に行ったり、設定したりすることができる。
【００２７】
ユーザがアスク注文を送信したい場合、処理は機能ブロック６２に移る。機能ブロック６２において、コンピュータ入力デバイスを用いることによってアスク欄における価格が選択される。同様に、ユーザがビッド注文を送信したい場合、プロセスは機能ブロック６３に移る。機能ブロック６３において、ユーザはコンピュータ入力デバイスを用いることによってビッド欄における価格を選択する。更に他の例示的な実施形態では、ユーザーがアスク又はビッドのいずれかの一方のタイプの注文の事前に設定された値のみを有する場合があり得る。この状況では、価格を任意の欄から選択することができる。その理由は、１つのタイプの成行注文のみがシステムによって送信されるからである。換言すれば、例えば、ビッド注文の事前に設定されたパラメータのみをユーザが有している場合には、ユーザがアスク欄における価格を選択したとしても、ビッド成行注文が、選択された価格で送信されることになる。
【００２８】
価格が選択された場合、ユーザはコンピュータ入力デバイスを用いることによって注文のエントリを確認する。例示的な実施形態において、このプロセスは、マウスボタンのアップクリック時に注文を確認することを含む。したがって、例えば、ユーザは、ビッド欄又はアスク欄のいずれかにおいて特定の価格でマウスボタンをクリックすることによって価格を選択する。マウスボタンがアップクリックされると、注文が確認され、事前に設定されたパラメータが市場に送信される。しかし、ユーザが考えを変えて、注文を送信しないことを決定した場合、ユーザは、マウスのアップクリックをする前に、価格が関連付けられていない、表示の他の部分にマウスを移動させることができる。
【００２９】
ユーザが１つの注文を行った場合、機能ブロック６１から始まるこのプロセスを繰り返すことによってその後の注文を行うことができる。事前に設定された注文パラメータを変更したい場合、ユーザは機能ブロック６０によって示されたステップを単に繰り返す。
【００３０】
図８は、ユーザによって入力された注文値を受け取って入力する場合にコンピュータによって実行される方法のステップを示している。機能ブロック７０において、コンピュータは、事前に設定された注文パラメータをユーザから受け取る。これらのパラメータは、コンピュータが、事前に設定された新たな注文パラメータを受け取るまでコンピュータによって保持される。
【００３１】
機能ブロック７１において、コンピュータは、表示のビッド欄又はアスク欄における価格の選択を通じてユーザが注文を行いたいという指示を受け取る。機能ブロック７２において、コンピュータは、選択された価格がビッド欄におけるものであるか又はアスク欄におけるものであるかを判断する。選択がビッド欄におけるものであった場合、機能ブロック７４に示すように、コンピュータは、指示された価格で、事前に設定されたパラメータとともにビッドを送信する準備を行う。価格がアスク欄から選択された場合、機能ブロック７３に示すように、コンピュータは、選択によって指示された価格で、ユーザから事前に受け取ったパラメータとともにアスク注文を送信する準備を行う。機能ブロック７５において、コンピュータがユーザ入力デバイスからの指示の形態でユーザから確認を受け取った場合、注文が送信される。例えば、例示的な実施形態では、ユーザはマウスボタンのアップクリックによって自己の注文を確認する。コンピュータはアップクリックの指示を受け取った場合、注文を送信する。
【００３２】
他の例示的な実施形態では、機能ブロック７２〜７５のステップは単一のステップで行うことができ、この場合、価格、注文がビッドであるか又はアスクであるか、及び確認の指示は全て単一のステップでコンピュータによって受け取られる。
【００３３】
注文が送信された場合、コンピュータは、新たな注文又は新たな事前設定された注文パラメータの更なる指示を待つ。
【００３４】
図７及び図８に示すステップに関して、これらのステップは、当業者に既知であるように変更することができる。例えば、事前設定される異なる注文パラメータを入力し、マウス等のユーザ入力デバイスの異なるボタンを用いて動作するように関連付けることができる。例えば、ビッドは、或るマウスボタンを用いて入力することができ、アスクは、異なるボタンを用いて入力される。この場合、ユーザ及びコンピュータはいずれの欄における価格が選択されたのかを判断する必要がなくなり、指示を行うためにボタンのみが用いられる。同様に、２組のパラメータ、例えば異なる数量を異なるマウスボタンに関連付けることができる。この状況では、注文を送信するために用いられる事前設定されたパラメータは、いずれのマウスボタンがユーザによって選択され、コンピュータに指示されたのかによって異なることになる。
【００３５】
図９は、例示的な実施形態にかかる注文をユーザが変更するために行う方法のステップを示している。機能ブロック８０に示すように、ユーザは上述の表示に入力した注文を見る。ユーザは、何らかの理由で特定の注文の価格を変更したい場合、ユーザ入力デバイスを用いることによってその注文を選択する。用いられるデバイスがマウスである場合、ユーザは、注文を示すテキスト又はアイコンをクリックすることによって自己の注文を示すテキスト又はアイコンを選択する。
【００３６】
機能ブロック８１において、ユーザは、注文を示すテキスト又はアイコンを、旧価格を表す欄のセルから新たな価格を表す欄のセルにドラッグすることによって注文の新たな価格を指示する。このドラッグは、マウスボタンをクリックした後にそのマウスボタンをホールドし、ドラッグされている間にボタンをホールドし続けることによって行うことができる。代替的に、システムが「クリックアンドスティック（click  and  stick）」入力を利用する場合、注文をクリックすることは、その注文をマウスに「スティック」することになり、それによって、マウスボタンをホールドする必要なくその注文をドラッグすることができる。
【００３７】
機能ブロック８２は、注文の価格を変更したいことの確認をユーザがどのように指示するのかを示している。注文が、マウスボタンをホールドすることによってドラッグされる場合、マウスボタンを新たな注文価格において解放することが、注文を変更したいことの確認となる。「クリックアンドスティック」システムでは、マウスボタンの第２のクリックが確認を示すことになる。いずれのシステムでも、マウスボタンのアップクリック時にのみ、確認が正しく行われるものとすることができる。
【００３８】
図１０は、例示的な実施形態にかかる注文を変更するためにコンピュータによって実行される方法のステップを示している。機能ブロック９０に示すように、コンピュータは、まず、ユーザが変更することを希望している注文の指示を受け取る。この指示は、注文を示すテキスト又はアイコンが選択されたことを示すマウスからの入力の形態で与えることができる。
【００３９】
機能ブロック９１は、注文がクリックされた場合に、コンピュータシステムがその注文に関連付けられたパラメータを検索することを示している。パラメータが検索された場合、機能ブロック９２に示すように、コンピュータは、ユーザ入力デバイスからの指示を受け取ることによって注文の新たな価格を受け取る。例示的な実施形態では、この指示は、注文に関連付けられたテキスト又はアイコンが表示のビッド欄又はアスク欄内の新たな価格にドラッグされたことを示すマウスからの入力の形態で与えることができる。
【００４０】
機能ブロック９３は、コンピュータシステムがユーザ入力デバイスからの確認に基づいて注文の変更を市場に送信することを示している。例示的な実施形態では、ユーザが注文を新たな価格にドラッグすることを完了した場合に、マウスボタンのアップクリックの形態で上記確認が与えられる。
【００４１】
上述のステップは異なるように実行することも可能である。例えば、変更される注文、新たな価格、及び確認の指示は、全て同時に受け取ることができる。そして、これらの指示を受け取った後、パラメータが検索され、注文の変更が送信される。注文のパラメータをこれらの指示と同時に受け取ることも可能である。
【００４２】
以上は例示的な実施形態を特に図示及び説明したものであるが、特許請求の範囲によって規定される本発明の趣旨及び範囲から逸脱することなくそれらの実施形態に様々な変更を行うことが可能であることは当業者によって理解される。
【図１】
2013532861.tif 000003
【図２】
2013532861.tif 000004
【図３】
2013532861.tif 000005
【図４】
2013532861.tif 000006
【図５】
2013532861.tif 000007
【図６】
2013532861.tif 000008
【図７】
2013532861.tif 000009
【図８】
2013532861.tif 000010
【図９】
2013532861.tif 000011
【図１０】
2013532861.tif 000012
【国際調査報告】
2013532861.tif 000013
2013532861.tif 000014